(57)【要約】【課題】遠隔操作機器がアクセスするアクセスポイントと制御対象となる設備機器との関係をシステム導入後において容易に変更することのできる設備機器制御システムを提供する。【解決手段】設備機器制御システム１には、携帯可能な遠隔操作機器２と、遠隔操作機器２との無線通信が可能な複数のアクセスポイント３と、遠隔操作機器２の操作により制御される照明器具５とが設けられている。設備機器制御システム１の記憶部４３には、遠隔操作機器２と複数のアクセスポイント３の１つとの組み合わせと、この組み合わせに対応して制御される照明器具５との関係を示す制御対象情報が記憶されている。そして、遠隔操作機器２が複数のアクセスポイント３Ａ〜３Ｃの少なくとも１つにアクセスしたとき、制御対象情報に基づいて複数の照明器具５Ａ〜５Ｆの少なくとも１つの制御が行われる。【選択図】図１
2012160890.tif 000002
【特許請求の範囲】
【請求項１】
携帯可能な遠隔操作機器と、この遠隔操作機器との無線通信が可能な複数のアクセスポイントと、前記遠隔操作機器の操作により制御される複数の設備機器とを備える設備機器制御システムにおいて、
前記遠隔操作機器と前記複数のアクセスポイントの１つとの組み合わせと、この組み合わせに対応して制御される前記複数の設備機器の少なくとも１つとの関係を制御対象情報として、
前記遠隔操作機器が前記複数のアクセスポイントの少なくとも１つにアクセスしたとき、前記制御対象情報に基づいて前記複数の設備機器の少なくとも１つの制御が行われること
を特徴とする設備機器制御システム。
【請求項２】
請求項１に記載の設備機器制御システムにおいて、
この設備機器制御システムには、前記遠隔操作機器として個別に携帯可能な複数の遠隔操作機器が設けられていること、
ならびに、前記複数の遠隔操作機器毎に前記制御対象情報が管理されること
を特徴とする設備機器制御システム。
【請求項３】
請求項１または２に記載の設備機器制御システムにおいて、
この設備機器制御システムには、前記複数の設備機器の制御を行うサーバーが設けられていること、
前記複数のアクセスポイントのそれぞれが前記サーバーに接続されていること、
ならびに、前記制御対象情報が前記サーバーに記憶されていること
を特徴とする設備機器制御システム。
【請求項４】
請求項１または２に記載の設備機器制御システムにおいて、
前記複数のアクセスポイントのそれぞれが前記複数のアクセスポイントの少なくとも１つとの間で通信できること、
ならびに、前記制御対象情報が前記複数のアクセスポイントの少なくとも１つに記憶されていること
を特徴とする設備機器制御システム。
【請求項５】
請求項１または２に記載の設備機器制御システムにおいて、
前記複数のアクセスポイントのそれぞれが前記複数のアクセスポイントの少なくとも１つとの間で通信できること、
ならびに、前記制御対象情報が前記遠隔操作機器に記憶されていること
を特徴とする設備機器制御システム。
【請求項６】
請求項１〜５のいずれか一項に記載の設備機器制御システムにおいて、
前記遠隔操作機器が特定の操作に基づいて前記複数のアクセスポイントの少なくとも１つにアクセスするとき、前記複数の設備機器のうちの特定の設備機器が制御されること、
ならびに、前記複数の設備機器のうちの１つまたは複数が前記特定の設備機器として設定されていること
を特徴とする設備機器制御システム。
【請求項７】
請求項１〜６のいずれか一項に記載の設備機器制御システムにおいて、
前記複数のアクセスポイントの少なくとも１つから受信した情報を表示する表示部が前記遠隔操作機器に設けられていること
を特徴とする設備機器制御システム。
【請求項８】
請求項７に記載の設備機器制御システムにおいて、
前記複数の設備機器の少なくとも１つの動作状態を機器動作情報とし、前記遠隔操作機器と前記複数のアクセスポイントの少なくとも１つとの通信履歴を通信履歴情報として、前記機器動作情報および前記通信履歴情報の少なくとも一方が前記表示部に表示されること
を特徴とする設備機器制御システム。
【請求項９】
請求項１〜８のいずれか一項に記載の設備機器制御システムにおいて、
前記遠隔操作機器に個体識別情報が設定されていること
ことを特徴とする設備機器制御システム。
【請求項１０】
請求項１〜９のいずれか一項に記載の設備機器制御システムにおいて、
音声を出力する音声出力部が前記遠隔操作機器に設けられていること
を特徴とする設備機器制御システム。
【請求項１１】
請求項１〜９のいずれか一項に記載の設備機器制御システムにおいて、
音声を認識する音声認識部が前記遠隔操作機器に設けられていること、
ならびに、前記音声認識部の認識情報に基づいて前記遠隔操作機器から前記複数のアクセスポイントの少なくとも１つに信号が送信されること
を特徴とする設備機器制御システム。
【請求項１２】
請求項１〜１１のいずれか一項に記載の設備機器制御システムにおいて、
火災報知システムから受信した情報に基づいて前記遠隔操作機器および前記複数の設備機器の少なくとも一方の制御が行われること
を特徴とする設備機器制御システム。
【発明の詳細な説明】
【技術分野】
【０００１】
本発明は、携帯可能な遠隔操作機器と、この遠隔操作機器との無線通信が可能な複数のアクセスポイントと、遠隔操作機器の操作により制御される複数の設備機器とを備える設備機器制御システムに関する。
【背景技術】
【０００２】
上記設備機器制御システムの一例として、特許文献１に記載のシステムが上げられる。
このシステムには、スタジオまたは劇場の照明（設備機器）を制御するワイヤレス調光操作器（遠隔操作機器）と、スタジオまたは劇場毎に設けられた複数の無線ＬＡＮアクセスポイント（アクセスポイント）とが設けられている。そして、ワイヤレス調光操作器が無線ＬＡＮアクセスポイントにアクセスしたとき、この無線ＬＡＮアクセスポイントに接続された照明の制御が行われる。
【先行技術文献】
【特許文献】
【０００３】
【特許文献１】特開２００４−２０６９９３号公報
【発明の概要】
【発明が解決しようとする課題】
【０００４】
ところで、上記設備機器制御システムにおいては、ワイヤレス調光操作器がアクセスする無線ＬＡＮアクセスポイントと、制御対象となる照明との関係が固定されている。このため、建築物等に同制御システムを導入した後において、ワイヤレス調光操作器がアクセスする無線ＬＡＮアクセスポイントと制御対象との関係を変更する要求が生じたときには、アクセスポイントと照明とを接続するハード構成に変更を加える必要がある。すなわち、設備機器制御システムの導入後においては、上記関係を変更するために大きな手間がかかる。
【０００５】
本発明は上記課題に鑑みてなされたものであり、その目的は、遠隔操作機器がアクセスするアクセスポイントと制御対象となる設備機器との関係をシステム導入後において容易に変更することのできる設備機器制御システムを提供することにある。
【課題を解決するための手段】
【０００６】
上記目的を達成するための手段を以下に示す。
・本発明の設備機器制御システムは、携帯可能な遠隔操作機器と、この遠隔操作機器との無線通信が可能な複数のアクセスポイントと、前記遠隔操作機器の操作により制御される複数の設備機器とを備える設備機器制御システムにおいて、前記遠隔操作機器と前記複数のアクセスポイントの１つとの組み合わせと、この組み合わせに対応して制御される前記複数の設備機器の少なくとも１つとの関係を制御対象情報として、前記遠隔操作機器が前記複数のアクセスポイントの少なくとも１つにアクセスしたとき、前記制御対象情報に基づいて前記複数の設備機器の少なくとも１つの制御が行われることを特徴とする。
【０００７】
・上記設備機器制御システムにおいては、この設備機器制御システムには、前記遠隔操作機器として個別に携帯可能な複数の遠隔操作機器が設けられていること、ならびに、前記複数の遠隔操作機器毎に前記制御対象情報が管理されることが好ましい。
【０００８】
・上記設備機器制御システムにおいては、この設備機器制御システムには、前記複数の設備機器の制御を行うサーバーが設けられていること、前記複数のアクセスポイントのそれぞれが前記サーバーに接続されていること、ならびに、前記制御対象情報が前記サーバーに記憶されていることが好ましい。
【０００９】
・上記設備機器制御システムにおいては、前記複数のアクセスポイントのそれぞれが前記複数のアクセスポイントの少なくとも１つとの間で通信できること、ならびに、前記制御対象情報が前記複数のアクセスポイントの少なくとも１つに記憶されていることが好ましい。
【００１０】
・上記設備機器制御システムにおいては、前記複数のアクセスポイントのそれぞれが前記複数のアクセスポイントの少なくとも１つとの間で通信できること、ならびに、前記制御対象情報が前記遠隔操作機器に記憶されていることが好ましい。
【００１１】
・上記設備機器制御システムにおいては、前記遠隔操作機器が特定の操作に基づいて前記複数のアクセスポイントの少なくとも１つにアクセスするとき、前記複数の設備機器のうちの特定の設備機器が制御されること、ならびに、前記複数の設備機器のうちの１つまたは複数が前記特定の設備機器として設定されていることが好ましい。
【００１２】
・上記設備機器制御システムにおいては、前記複数のアクセスポイントの少なくとも１つから受信した情報を表示する表示部が前記遠隔操作機器に設けられていることが好ましい。
【００１３】
・上記設備機器制御システムにおいては、前記複数の設備機器の少なくとも１つの動作状態を機器動作情報とし、前記遠隔操作機器と前記複数のアクセスポイントの少なくとも１つとの通信履歴を通信履歴情報として、前記機器動作情報および前記通信履歴情報の少なくとも一方が前記表示部に表示されることが好ましい。
【００１４】
・上記設備機器制御システムにおいては、前記遠隔操作機器に個体識別情報が設定されていることが好ましい。
・上記設備機器制御システムにおいては、音声を出力する音声出力部が前記遠隔操作機器に設けられていることが好ましい。
【００１５】
・上記設備機器制御システムにおいては、音声を認識する音声認識部が前記遠隔操作機器に設けられていること、ならびに、前記音声認識部の認識情報に基づいて前記遠隔操作機器から前記複数のアクセスポイントの少なくとも１つに信号が送信されることが好ましい。
【００１６】
・上記設備機器制御システムにおいては、火災報知システムから受信した情報に基づいて前記遠隔操作機器および前記複数の設備機器の少なくとも一方の制御が行われることが好ましい。
【発明の効果】
【００１７】
本発明によれば、遠隔操作機器がアクセスするアクセスポイントと制御対象となる設備機器との関係をシステム導入後において容易に変更することのできる設備機器制御システムを提供することができる。
【図面の簡単な説明】
【００１８】
【図１】本発明の第１実施形態の設備機器制御システムの構成を示す構成図。
【図２】同実施形態の遠隔操作機器について、（ａ）はその構成を示すブロック図、（ｂ）はその外観を示す外観図。
【図３】同実施形態のアクセスポイントの構成を示すブロック図。
【図４】同実施形態のサーバーの構成を示すブロック図。
【図５】同実施形態のサーバーの記憶部に記憶されている記憶内容の一例を示す表。
【図６】同実施形態の照明器具の構成を示すブロック図。
【図７】同実施形態の設備機器制御システムの動作の流れを示すフローチャート。
【図８】本発明の第２実施形態の設備機器制御システムの構成を示す構成図。
【図９】同実施形態のアクセスポイントの構成を示すブロック図。
【図１０】同実施形態の各アクセスポイントの記憶部に記憶されている記憶内容の一例を示す表。
【図１１】同実施形態の設備機器制御システムの動作の流れを示すフローチャート。
【図１２】本発明の第３実施形態の設備機器制御システムの構成を示す構成図。
【図１３】同実施形態の遠隔操作機器の構成を示すブロック図。
【図１４】同実施形態の各遠隔操作機器の記憶部に記憶されている記憶内容の一例を示す表。
【図１５】本発明の第４実施形態の遠隔操作機器について、（ａ）はその構成を示すブロック図、（ｂ）はその外観を示す外観図。
【図１６】本発明の第５実施形態の遠隔操作機器について、（ａ）はその構成を示すブロック図、（ｂ）はその外観を示す外観図。
【図１７】同実施形態のアクセスポイントの構成を示すブロック図。
【図１８】本発明の第６実施形態の遠隔操作機器について、（ａ）はその構成を示すブロック図、（ｂ）はその外観を示す外観図。
【図１９】本発明の第７実施形態の設備機器制御システムの構成を示す構成図。
【発明を実施するための形態】
【００１９】
（第１実施形態）
図１〜図７を参照して、本発明の第１実施形態について説明する。
図１に示されるように、設備機器制御システム１（以下、「制御システム１」という）は、建築物の照明器具５を制御するためのシステムとして構成されている。建築物は、管理者による管理の単位として３つの区域１Ａ〜１Ｃに区画されている。区域１Ａとしては、部屋が割り当てられている。また、区域１Ｂとしては、廊下が割り当てられている。また、区域１Ｃとしては、階段が割り当てられている。
【００２０】
制御システム１には、操作信号を送信する複数の遠隔操作機器２と、遠隔操作機器２の操作信号を受信するアクセスポイント３と、複数の照明器具５と、照明器具５の制御を行うサーバー４とが設けられている。
【００２１】
遠隔操作機器２は、無線によりアクセスポイント３と通信することができる。アクセスポイント３は、通信ケーブルＣ１によりサーバー４に接続されている。照明器具５は、通信ケーブルＣ２によりサーバー４に接続されている。
【００２２】
以下では、遠隔操作機器２のそれぞれに「２Ａ」および「２Ｂ」の符号を付して遠隔操作機器２を区別する。また、アクセスポイント３のそれぞれに「３Ａ」、「３Ｂ」、および「３Ｃ」の符号を付してアクセスポイント３を区別する。また、照明器具５のそれぞれに「５Ａ」、「５Ｂ」、「５Ｃ」、「５Ｄ」、および「５Ｅ」の符号を付して照明器具５を区別する。
【００２３】
なお、以下の説明において、遠隔操作機器２は遠隔操作機器２Ａ，２Ｂの一方または両方を示すものとする。また、アクセスポイント３はアクセスポイント３Ａ〜３Ｃの少なくとも１つを示すものとする。また、照明器具５は照明器具５Ａ〜５Ｆの少なくとも１つを示すものとする。
【００２４】
遠隔操作機器２は、照明器具５を遠隔操作する携帯型リモートコントローラーとして構成されている。遠隔操作機器２には、それぞれの機器を識別するための個体識別情報である識別ＩＤが付与されている。遠隔操作機器２Ａには、識別ＩＤとして「ＳＷ１」が付与されている。また遠隔操作機器２Ｂには、識別ＩＤとして「ＳＷ２」が付与されている。
【００２５】
アクセスポイント３Ａは、区域１Ａにおいて遠隔操作機器２から送信された操作信号を受信することができる。またアクセスポイント３Ｂは、区域１Ｂにおいて遠隔操作機器２から送信された操作信号を受信することができる。またアクセスポイント３Ｃは、区域１Ｃにおいて遠隔操作機器２から送信された操作信号を受信することができる。
【００２６】
サーバー４には、各種のデータを記憶する記憶部４３が設けられている。記憶部４３には、遠隔操作機器２の識別ＩＤとアクセスポイント３との組み合わせと、この組み合わせに対応して制御される照明器具５との関係を示す情報としての制御対象情報が記憶されている。この制御対象情報は、サーバー４の管理者等により更新することができる。なお、「遠隔操作機器２の制御対象」とは、遠隔操作機器２がアクセスポイント３にアクセスしたとき、これに基づいてサーバー４により制御される照明器具５を示す。
【００２７】
図２〜図６を参照して、制御システム１の詳細な構成について説明する。
図２に示されるように、遠隔操作機器２には、照明器具５を動作させるときに操作される操作入力部２１と、アクセスポイント３に操作信号を送信する信号送信部２３と、信号送信部２３を制御する制御部２２とが設けられている。操作入力部２１は、マンマシンインタフェース（押しボタンスイッチ）により構成されている。制御部２２は、集積回路により構成されている。信号送信部２３は、無線モジュールにより構成されている。ユーザーにより操作入力部２１が操作されたとき、この操作により入力された要求が制御部２２により検出される。そして、制御部２２の制御により同要求に基づく操作信号が信号送信部２３から送信される。この操作信号には、遠隔操作機器２の識別ＩＤが含まれている。
【００２８】
図３に示されるように、アクセスポイント３には、遠隔操作機器２から送信された操作信号を受信する信号受信部３１と、サーバー４に電気信号を出力する信号出力部３３と、信号出力部３３を制御する制御部３２とが設けられている。信号受信部３１は、無線モジュールにより構成されている。信号出力部３３は、ハードウェアインタフェースにより構成されている。制御部３２は、集積回路により構成されている。
【００２９】
図４に示されるように、サーバー４には、アクセスポイント３から信号が入力される信号入力部４１と、照明器具５に指令信号を出力する信号出力部４４と、信号出力部４４を制御する制御部４２と、各種の情報を記憶する記憶部４３とが設けられている。信号入力部４１および信号出力部４４は、ハードウェアインタフェースにより構成されている。制御部４２は、集積回路により構成されている。アクセスポイント３からの信号が信号入力部４１に入力されたとき、この信号が制御部４２により検出される。このとき、制御部４２においては、検出された信号と記憶部４３の制御対象情報とに基づいて遠隔操作機器２の制御対象が決定される。そして、制御部４２の制御により同制御対象に対する指令信号が信号出力部４４から出力される。
【００３０】
図５に、記憶部４３に記憶されている制御対象情報の一例を示す。
制御システム１においては、制御対象情報に基づいて以下のように遠隔操作機器２の制御対象が設定される。
・識別ＩＤ「ＳＷ１」の遠隔操作機器２Ａがアクセスポイント３Ａにアクセスしたとき、照明器具５Ａ，５Ｂが制御対象として設定される。
・識別ＩＤ「ＳＷ１」の遠隔操作機器２Ａがアクセスポイント３Ｂにアクセスしたとき、照明器具５Ｃ，５Ｄが制御対象として設定される。
・識別ＩＤ「ＳＷ１」の遠隔操作機器２Ａがアクセスポイント３Ｃにアクセスしたとき、照明器具５Ｅ，５Ｆが制御対象として設定される。
・識別ＩＤ「ＳＷ２」の遠隔操作機器２Ｂがアクセスポイント３Ａ〜３Ｃの少なくとも１つにアクセスしたとき、照明器具５Ａ〜５Ｆが制御対象として設定される。
【００３１】
図６に示されるように、照明器具５には、サーバー４から指令信号が入力される信号入力部５１と、ＬＥＤ電球により構成される光源５３と、光源５３を制御する制御部５２とが設けられている。信号入力部５１は、ハードウェアインタフェースにより構成されている。制御部５２は、集積回路により構成されている。
【００３２】
図７を参照して、制御システム１の動作について説明する。
ステップＳ１において、ユーザーにより遠隔操作機器２が操作されたとき、すなわち照明器具５の遠隔操作の要求が入力されたとき、遠隔操作機器２により操作信号が送信される。
【００３３】
ステップＳ２において、遠隔操作機器２から送信された操作信号をアクセスポイント３が受信したとき、操作信号を受信したアクセスポイント３により操作信号の情報がサーバー４に出力される。
【００３４】
ステップＳ３において、アクセスポイント３から出力された情報をサーバー４が検出したとき、サーバー４により記憶部４３の制御対象情報に基づいて制御対象が決定される。具体的には、サーバー４の制御部４２は、操作信号に含まれる遠隔操作機器２の識別情報、および操作信号に含まれる情報を出力したアクセスポイント３の情報を取得する。そして、これらの情報に基づいて、操作信号を送信した遠隔操作機器２および操作信号を受信したアクセスポイント３を特定する。そして、特定した遠隔操作機器２およびアクセスポイント３の組み合わせと、同組み合わせに対応する制御対象情報とに基づいて遠隔操作機器２の制御対象を決定する。
【００３５】
ステップＳ４において、サーバー４により制御対象の照明器具５に対する指令信号が出力される。
ステップＳ５において、指令信号が照明器具５に入力されたとき、この照明器具５において指令信号に応じた動作が行われる。例えば、点灯している光源５３を消灯させる動作、または消灯している光源５３を点灯させる動作が行われる。
【００３６】
（実施形態の効果）
本実施形態の制御システム１によれば以下の効果が得られる。
（１）制御システム１においては、遠隔操作機器２が複数のアクセスポイント３Ａ〜３Ｃの少なくとも１つにアクセスしたとき、制御対象情報に基づいて複数の照明器具５Ａ〜５Ｆの少なくとも１つの制御が行われる。この構成によれば、サーバー４に記憶されている制御対象情報を更新することにより、遠隔操作機器２がアクセスするアクセスポイント３と遠隔操作の制御対象となる照明器具５との関係を変更することができる。このため、当該制御システム１の導入後において同関係を容易に変更することができる。
【００３７】
（２）制御システム１においては、遠隔操作機器２毎に制御対象情報が管理されている。この構成によれば、遠隔操作機器２Ａがアクセスするアクセスポイント３と制御対象となる照明器具５との関係と、遠隔操作機器２Ｂがアクセスするアクセスポイント３と制御対象となる照明器具５との関係とを互いに異なるものに設定することができる。すなわち、遠隔操作機器２Ａがアクセスポイント３Ａにアクセスしたときに遠隔操作される照明器具５と、遠隔操作機器２Ｂがアクセスポイント３Ａにアクセスしたときに遠隔操作される照明器具５とを異ならせることができる。このため、遠隔操作機器２を所持するユーザーのニーズに応じて上記関係を容易に変更することができる。
【００３８】
（３）制御システム１においては、制御対象情報がサーバー４の記憶部４３に記憶されている。この構成によれば、制御対象情報をサーバー４において一元的に管理することができる。このため、制御対象情報の登録および保守を容易に行うことができる。
【００３９】
（４）制御システム１においては、遠隔操作機器２に識別ＩＤが設定されている。この構成によれば、遠隔操作機器２のアクセスポイント３との通信履歴と識別ＩＤとに基づいて、遠隔操作機器２が存在する場所を個別に把握することができる。
【００４０】
（第２実施形態）
図８〜図１１を参照して、本発明の第２実施形態について説明する。なお、本実施形態の制御システム１は、第１実施形態の制御システム１の一部を変更したものとして構成されている。このため、第１実施形態の制御システム１と共通する構成については同一の符号を付し、その説明の一部または全部を省略する。
【００４１】
図８に示されるように、本実施形態の制御システム１は、アクセスポイント３によりバス型ネットワークが構成されている。すなわち、第１実施形態の制御システム１のサーバー４が省略されている。
【００４２】
アクセスポイント３Ａ〜３Ｃは、通信ケーブルＣ３により互いに接続されている。照明器具５Ａ，５Ｂは、通信ケーブルＣ４によりアクセスポイント３Ａに接続されている。また照明器具５Ｃ，５Ｄは、通信ケーブルＣ５によりアクセスポイント３Ｂに接続されている。また照明器具５Ｅ，５Ｆは、通信ケーブルＣ６によりアクセスポイント３Ｃに接続されている。
【００４３】
図９に示されるように、アクセスポイント３には、信号受信部３１、制御部３２、および信号出力部３３に加えて、各種の情報を記憶する記憶部３４と、信号の入出力を行う信号入出力部３５とがさらに設けられている。信号出力部３３および信号入出力部３５は、ハードウェアインタフェースにより構成されている。信号入出力部３５は、当該アクセスポイント３とは別のアクセスポイント３に対して信号を出力すること、および同別のアクセスポイント３が出力した信号を受信することができる。なお、当該アクセスポイント３をアクセスポイント３Ａとしたときには、アクセスポイント３Ｂ，３Ｃが別のアクセスポイントとなる。また、当該アクセスポイント３をアクセスポイント３Ｂとしたときには、アクセスポイント３Ａ，３Ｃが別のアクセスポイントとなる。また、当該アクセスポイント３をアクセスポイント３Ｃとしたときには、アクセスポイント３Ａ，３Ｂが別のアクセスポイントとなる。
【００４４】
図１０に、記憶部３４に記憶されている制御対象情報の一例を示す。
制御システム１においては、制御対象情報に基づいて以下のように遠隔操作機器２の制御対象が設定される。
・識別ＩＤ「ＳＷ１」の遠隔操作機器２Ａがアクセスポイント３Ａにアクセスしたとき、照明器具５Ａ，５Ｂが制御対象として設定される。
・識別ＩＤ「ＳＷ２」の遠隔操作機器２Ｂがアクセスポイント３Ａにアクセスしたとき、照明器具５Ａ〜５Ｆが制御対象として設定される。
・識別ＩＤ「ＳＷ１」の遠隔操作機器２Ａがアクセスポイント３Ｂにアクセスしたとき、照明器具５Ｃ，５Ｄが制御対象として設定される。
・識別ＩＤ「ＳＷ２」の遠隔操作機器２Ｂがアクセスポイント３Ｂにアクセスしたとき、照明器具５Ａ〜５Ｆが制御対象として設定される。
・識別ＩＤ「ＳＷ１」の遠隔操作機器２Ａがアクセスポイント３Ｃにアクセスしたとき、照明器具５Ｅ，５Ｆが制御対象として設定される。
・識別ＩＤ「ＳＷ２」の遠隔操作機器２Ｂがアクセスポイント３Ｃにアクセスしたとき、照明器具５Ａ〜５Ｆが制御対象として設定される。
【００４５】
図１１を参照して、制御システム１の動作について説明する。
ステップＳ１１において、ユーザーにより遠隔操作機器２が操作されたとき、すなわち照明器具５の遠隔操作の要求が入力されたとき、遠隔操作機器２により操作信号が送信される。
【００４６】
ステップＳ１２において、遠隔操作機器２から送信された操作信号をアクセスポイント３が受信する。
ステップＳ１３において、アクセスポイント３の制御部３２により遠隔操作機器２の制御対象が決定される。制御部３２は、操作信号に含まれる遠隔操作機器２の識別情報を取得し、操作信号を送信した遠隔操作機器２を同識別情報により特定する。そして、遠隔操作機器２とアクセスポイント３との組み合わせと、同組み合わせに対応する制御対象情報とに基づいて制御対象を決定する。
【００４７】
ステップＳ１４において、ステップＳ１３で決定した制御対象を制御することができるか否かを判断する。制御対象を制御できる旨判断したとき、ステップＳ１６に移行する。一方、制御対象を制御できない旨判断したとき、ステップＳ１５に移行する。
【００４８】
ステップＳ１５において、ステップＳ１３で決定した制御対象を制御可能な他のアクセスポイント３に操作信号を転送する。例えば、遠隔操作機器２Ｂがアクセスポイント３Ａにアクセスしたとき、すなわち制御対象が照明器具５Ａ〜５Ｆのとき、操作信号がアクセスポイント３Ａからアクセスポイント３Ｂ，３Ｃに転送される。また、遠隔操作機器２Ｂがアクセスポイント３Ｂにアクセスしたとき、すなわち制御対象が照明器具５Ａ〜５Ｆのとき、操作信号がアクセスポイント３Ｂからアクセスポイント３Ａ，３Ｃに転送される。また、遠隔操作機器２Ｂがアクセスポイント３Ｃにアクセスしたとき、すなわち制御対象が照明器具５Ａ〜５Ｆのとき、操作信号がアクセスポイント３Ｃからアクセスポイント３Ａ，３Ｂに転送される。
【００４９】
ステップＳ１６において、アクセスポイント３から制御対象の照明器具５に対する指令信号が出力される。
ステップＳ１７において、指令信号が照明器具５に入力されたとき、この照明器具５において指令信号に応じた動作が行われる。例えば、点灯している光源５３を消灯させる動作、または消灯している光源５３を点灯させる動作が行われる。
【００５０】
（実施形態の効果）
本実施形態の制御システム１によれば、第１実施形態の（１）、（２）および（４）の効果に加えて、以下の（５）の効果が得られる。
【００５１】
（５）制御システム１においては、制御対象情報がアクセスポイント３Ａ〜３Ｃに記憶されている。この構成によれば、サーバー４を用いなくとも制御対象情報を管理することが可能になる。
【００５２】
（第３実施形態）
図１１〜図１４を参照して、本発明の第３実施形態について説明する。なお、本実施形態の制御システム１は、第２実施形態の制御システム１の一部を変更したものとして構成されている。このため、第２実施形態の制御システム１と共通する構成については同一の符号を付し、その説明の一部または全部を省略する。
【００５３】
図１２に示されるように、遠隔操作機器２には、各種の情報を記憶する記憶部２４が設けられている。記憶部２４には、制御対象情報が記憶されている。
図１３に示されるように、制御部２２には記憶部２４が接続されている。信号送信部２３から送信される操作信号には、記憶部３４に記憶されている制御対象情報が含まれる。
【００５４】
図１４に、遠隔操作機器２の記憶部２４に記憶されている制御対象情報を示す。
制御システム１においては、制御対象情報に基づいて以下のように遠隔操作機器２の制御対象が設定される。
・識別ＩＤ「ＳＷ１」の遠隔操作機器２Ａがアクセスポイント３Ａにアクセスしたとき、照明器具５Ａ，５Ｂが制御対象として設定される。
・識別ＩＤ「ＳＷ１」の遠隔操作機器２Ａがアクセスポイント３Ｂにアクセスしたとき、照明器具５Ｃ，５Ｄが制御対象として設定される。
・識別ＩＤ「ＳＷ１」の遠隔操作機器２Ａがアクセスポイント３Ｃにアクセスしたとき、照明器具５Ｅ，５Ｆが制御対象として設定される。
・識別ＩＤ「ＳＷ２」の遠隔操作機器２Ｂがアクセスポイント３Ａ〜３Ｃの少なくとも１つにアクセスしたとき、照明器具５Ａ〜５Ｆが制御対象として設定される。
【００５５】
図１１を参照して、制御システム１の動作について説明する。なお、制御システム１の動作について、ステップ１３以外は第２実施形態の制御システム1と同様の内容となるため、ここでは相違する点のみを説明する。
【００５６】
ステップＳ１３において、アクセスポイント３の制御部３２により遠隔操作機器２の制御対象が決定される。制御部３２は、操作信号に含まれる遠隔操作機器２の制御対象情報を取得する。そして、遠隔操作機器２とアクセスポイント３との組み合わせと、同組み合わせに対応する制御対象情報とに基づいて制御対象を決定する。
【００５７】
（実施形態の効果）
本実施形態の制御システム１によれば、第１実施形態の（１）、（２）および（４）の効果に加えて、以下の（６）の効果が得られる。
【００５８】
（６）制御システム１においては、制御対象情報が遠隔操作機器２の記憶部２４に記憶されている。この構成によれば、サーバー４を用いなくとも制御対象情報を管理することができる。
【００５９】
（第４実施形態）
図１５を参照して、本発明の第４実施形態について説明する。なお、本実施形態の制御システム１は、第１実施形態の制御システム１の一部を変更したものとして構成されている。このため、第１実施形態の制御システム１と共通する構成については同一の符号を付し、その説明の一部または全部を省略する。
【００６０】
図１５に示されるように、本実施形態の遠隔操作機器２には、特定の設備機器を操作するための操作入力部２５がさらに設けられている。ここでは、照明器具５Ａ〜５Ｆのうちの照明器具５Ｃ，５Ｄが特定の設備機器として設定されている。操作入力部２５は、マンマシンインタフェース（押しボタンスイッチ）により構成されている。制御部２２は、操作入力部２５の操作に基づいて照明器具５Ｃ，５Ｄの遠隔操作の要求が入力されたことを検出したとき、信号送信部２３から特定機器操作信号を送信させる。特定機器操作信号には、制御対象を照明器具５Ｃ，５Ｄに指定する制御機器指定情報が含まれている。
【００６１】
アクセスポイント３の信号受信部３１は、特定機器操作信号を受信したとき、受信した特定機器操作信号に基づいて、特定機器操作信号に含まれる制御機器指定情報を電気信号として信号出力部３３からサーバー４に出力させる。
【００６２】
サーバー４の制御部４２は、信号入力部４１に入力された特定機器操作信号から制御機器指定情報を取得する。そして、記憶部４３に記憶されている制御対象情報を用いることなく制御対象に対する指令信号を信号出力部４４から出力させる。この指令信号は、制御機器指定情報により指定されている照明器具５Ｃ，５Ｄに対して出力される。
【００６３】
（実施形態の効果）
本実施形態の制御システム１によれば、第１実施形態の（１）〜（４）の効果に加えて、以下の（７）の効果が得られる。
【００６４】
（７）例えば、遠隔操作機器２がアクセスポイント３Ａのみにアクセスすることが可能な状況において、照明器具５Ｃ，５Ｄの操作を行う必要が生じたとき、操作入力部２５が設けられていない遠隔操作機器２においては次の問題が生じる。すなわち、遠隔操作機器２がアクセスポイント３Ａにアクセスしたときの制御対象に照明器具５Ｃ，５Ｄが含まれていないため、照明器具５Ｃ，５Ｄを制御することができない。
【００６５】
一方、本実施形態の制御システム１においては、遠隔操作機器２に操作入力部２５が設けられているため、操作入力部２５の操作に基づいてアクセスポイント３にアクセスすることにより、特定の設備機器（照明器具５Ｃ，５Ｄ）を制御することができる。このため、上記で想定した状況において遠隔操作機器２の操作により照明器具５Ｃ，５Ｄを制御することができる。
【００６６】
（第５実施形態）
図１６および図１７を参照して、本発明の第５実施形態について説明する。なお、本実施形態の制御システム１は、第２実施形態の制御システム１の一部を変更したものとして構成されている。このため、第２実施形態の制御システム１と共通する構成については同一の符号を付し、その説明の一部または全部を省略する。
【００６７】
図１６に示されるように、本実施形態の遠隔操作機器２には、アクセスポイント３から送信される信号を受信する信号受信部２６と、信号受信部２６で受信した情報を表示する表示部２７とがさらに設けられている。信号受信部２６は、無線モジュールにより構成されている。表示部２７には、ＬＥＤ（Light Emitting Diode）およびＬＣＤ（Liquid Crystal Display）が設けられている。制御部２２は、信号受信部２６が受信した信号から、照明器具５の動作状態を示す機器動作情報、および遠隔操作機器２とアクセスポイント３との通信履歴を示す通信履歴情報を取得する。そして、取得した機器動作情報および通信履歴情報に基づいて表示部２７の制御を行う。表示部２７のＬＥＤには、制御対象の照明器具５の機器動作情報が表示される。また表示部２７のＬＣＤには、文字等の画像として通信履歴情報が表示される。
【００６８】
図１７に示されるように、本実施形態のアクセスポイント３には、機器動作情報および通信履歴情報を信号として電波により送信する信号送信部３６が設けられている。信号送信部３６は、無線モジュールにより構成されている。制御部３２は、機器動作情報および通信履歴情報を含む信号を信号送信部３６からアクセスポイント３に送信させる。
【００６９】
（実施形態の効果）
本実施形態の制御システム１によれば、第１実施形態の（１）、（２）および（４）の効果、ならびに第２実施形態の（５）の効果に加えて、以下の（８）および（９）の効果が得られる。
【００７０】
（８）制御システム１においては、機器動作情報が遠隔操作機器２の表示部２７に表示される。この構成によれば、遠隔操作機器２のユーザーが視認することのできない場所にある照明器具５について、その動作状態を把握することができる。
【００７１】
（９）制御システム１においては、通信履歴情報が遠隔操作機器２の表示部２７に表示される。この構成によれば、複数の照明器具５Ａ〜５Ｆのうちのいずれの照明器具５を操作したかを遠隔操作機器２のユーザーが容易に確認することができる。
【００７２】
（第６実施形態）
図１８を参照して、本発明の第６実施形態について説明する。なお、本実施形態の制御システム１は、第５実施形態の制御システム１の一部を変更したものとして構成されている。また遠隔操作機器２については、第２実施形態の遠隔操作機器２の一部を変更したものとして構成されている。このため、第２および第５実施形態の制御システム１と共通する構成については同一の符号を付し、その説明の一部または全部を省略する。
【００７３】
図１８に示されるように、本実施形態の遠隔操作機器２には、信号受信部２６が受信した情報を音声として出力する音声出力部２８と、操作入力部２１により入力された遠隔操作の操作内容を認識する音声認識部２９とがさらに設けられている。操作入力部２１は、マイクにより構成されている。音声出力部２８は、スピーカーにより構成されている。音声認識部２９は、集積回路により構成されている。制御部２２は、音声認識部２９による音声の認識結果に基づいて、照明器具５の遠隔操作の要求が入力されたことを検出したとき、信号送信部２３から操作信号を送信させる。また、遠隔操作機器２により照明器具５が遠隔操作されたときの遠隔操作機器２の位置情報、すなわちアクセスポイント３に通信したときの遠隔操作機器２の位置情報について、これを通信履歴情報として音声出力部２８から出力させる。
【００７４】
（実施形態の効果）
本実施形態の制御システム１によれば、第１実施形態の（１）、（２）および（４）の効果、ならびに第２実施形態の（５）の効果に加えて、以下の（１０）および（１１）の効果が得られる。
【００７５】
（１０）制御システム１においては、音声出力部２８が遠隔操作機器２に設けられている。この構成によれば、アクセスポイント３との通信履歴と識別ＩＤとに基づいて把握した遠隔操作機器２の位置情報を音声で出力することにより、ユーザーが衣服等の中に遠隔操作機器２を所持しているときにも同位置情報をユーザーに報知することができる。
【００７６】
（１１）制御システム１においては、音声認識部２９が遠隔操作機器２に設けられている。この構成によれば、ユーザーが手で遠隔操作機器２を操作することが困難な状況においても同遠隔操作機器２を用いて照明器具５を遠隔操作することができる。
【００７７】
（第７実施形態）
図１９を参照して、本発明の第７実施形態について説明する。なお、本実施形態の制御システム１は、第１実施形態の制御システム１の一部を変更したものとして構成されている。このため、第１実施形態の制御システム１と共通する構成については同一の符号を付し、その説明の一部または全部を省略する。
【００７８】
図１９に示されるように、本実施形態の制御システム１には、火災報知システム６が接続されている。火災報知システム６は、区域１Ａに設けられた火災検知部７Ａ、区域１Ｂに設けられた火災検知部７Ｂ、および区域１Ｃに設けられた火災検知部７Ｃのそれぞれに接続されている。また火災報知システム６は、火災検知部７Ａ〜７Ｃのいずれかが火災を検知したとき、建築物の管理者等に火災が発生したことを報知するとともに火災が発生したことを示す火災情報をサーバー４に出力する。
【００７９】
サーバー４は、アクセスポイント３と双方向通信を行うことができる。そして、火災報知システム６から火災情報が入力されたとき、火災情報を含む信号をアクセスポイント３Ａ〜３Ｃに出力する。またサーバー４は、火災発生時の避難経路に対応した照明器具５を点灯させるための指令信号を照明器具５に対して出力する。この指令信号は、火災情報に基づいて作成される。
【００８０】
アクセスポイント３は、火災情報を電波として遠隔操作機器２に送信する。なお、火災情報の送信は、上記第５実施形態の機器動作情報および通信履歴情報の送信に準じた態様で行われる。
【００８１】
遠隔操作機器２は、アクセスポイント３から送信された火災情報を受信する。そして、火災発生場所の情報および火災発生時の避難経路の情報を表示する。なお、火災情報の受信は、上記第５実施形態の機器動作情報および通信履歴情報の受信に準じた態様で行われる。また、火災情報の表示は、上記第５実施形態の通信履歴情報の表示に準じた態様で行われる。
【００８２】
上記制御システム１の構成によれば、火災検知部７Ａ〜７Ｃのいずれかにより火災が検知されたとき、照明器具５により避難経路が示される。また、火災発生場所および避難経路が遠隔操作機器２によりユーザーに提供される。
【００８３】
（実施形態の効果）
本実施形態の制御システム１によれば、第１実施形態の（１）〜（４）の効果に加えて、以下の（１２）の効果が得られる。
【００８４】
（１２）制御システム１においては、火災報知システム６からの情報に基づいて、遠隔操作機器２および照明器具５の制御が行われる。そして、火災発生場所の情報および火災発生時の避難経路の情報が遠隔操作機器２から出力される。
【００８５】
この構成によれば、照明器具５のスイッチとしての機能および火災報知器等としての機能が１つの遠隔操作機器２に設けられているため、同遠隔操作機器２の実用性がより高いものとなる。
【００８６】
（その他の実施形態）
なお、本発明の実施態様は上記各実施形態に限られるものではなく、例えば以下に示すように変更することもできる。また以下の変形例は、上記各実施形態についてのみ適用されるものではなく、異なる変形例同士を互いに組み合わせて実施することもできる。
【００８７】
・上記第１実施形態において、アクセスポイント３とサーバー４と照明器具５とによりバス型ネットワークを構成することもできる。この構成によれば、ネットワーク構成を簡素化することができる。
【００８８】
・上記第２実施形態において、１つのアクセスポイント３に接続される照明器具５の数は２つに限られない。すなわち、１つのアクセスポイント３に少なくとも１つの照明器具５が接続される構成であれば、接続される照明器具５の数は適宜変更することができる。
【００８９】
・上記第４実施形態の構成を上記第１実施形態以外の実施形態に適用することもできる。例えば、第２実施形態の遠隔操作機器２に操作入力部２５を設けることもできる。
・上記第４実施形態において、押しボタンスイッチにより構成される操作入力部２５に代えて、タッチパネルにより構成される操作入力部２５を用いることもできる。また、操作入力部２１および操作入力部２５を併せてタッチパネルに変更することにより、マンマシンインターフェースを共通化することもできる。
【００９０】
・上記第５実施形態の構成を上記第２実施形態以外の実施形態に適用することもできる。例えば、第１実施形態の遠隔操作機器２に表示部２７を設けることもできる。この場合には、アクセスポイント３またはサーバー４から通信履歴等の情報が送信されるとともに、この情報が遠隔操作機器２により受信される。
【００９１】
・上記第５実施形態において、表示部２７を構成するＬＥＤおよびＬＣＤの一方を省略することもできる。すなわち、照明器具５の機器動作情報、および遠隔操作機器２とアクセスポイント３との通信履歴情報の少なくとも一方を表示部２７に表示しない構成に変更することもできる。
【００９２】
・上記第６実施形態の構成を上記第２実施形態以外の実施形態に適用することもできる。例えば、第１実施形態の遠隔操作機器２に音声認識部２９を設けることにより、同第１実施形態の操作入力部２１をマイクとして構成することもできる。また、第１実施形態の遠隔操作機器２に音声出力部２８を設けることもできる。この場合には、アクセスポイント３またはサーバー４から通信履歴等の情報が送信されるとともに、この情報が遠隔操作機器２により受信される。
【００９３】
・上記第７実施形態において、上記第６実施形態の音声による遠隔操作機器２Ａの位置情報の出力に準じて、火災発生場所の情報および火災発生時の避難経路の情報を遠隔操作機器２により音声として出力することもできる。
【００９４】
・上記第７実施形態において、火災報知システム６からの情報に基づく遠隔操作機器２および照明器具５の制御の一方を省略することもできる。
・上記第７実施形態の構成を上記第１実施形態以外の実施形態に適用することもできる。例えば、上記第２実施形態のアクセスポイント３に火災報知システム６を接続することもできる。
【００９５】
・上記各実施形態において、押しボタンスイッチにより構成される操作入力部２１に代えて、タッチパネルにより構成される操作入力部２１を用いることもできる。
・上記各実施形態において、遠隔操作機器２が２つ以上のアクセスポイント３に同時にアクセスする構成に変更することもできる。
【００９６】
・上記各実施形態において、遠隔操作機器２の制御対象となる設備機器を照明器具５以外のものに変更することもできる。例えば、設備機器として、空調機を用いることもできる。
【符号の説明】
【００９７】
１…設備機器制御システム、２，２Ａ，２Ｂ…遠隔操作機器、３，３Ａ〜３Ｃ…アクセスポイント、４…サーバー、５，５Ａ〜５Ｆ…照明器具（設備機器）、６…火災報知システム、２７…表示部、２８…音声出力部、２９…音声認識部。
【図１】
2012160890.tif 000003
【図２】
2012160890.tif 000004
【図３】
2012160890.tif 000005
【図４】
2012160890.tif 000006
【図５】
2012160890.tif 000007
【図６】
2012160890.tif 000008
【図７】
2012160890.tif 000009
【図８】
2012160890.tif 000010
【図９】
2012160890.tif 000011
【図１０】
2012160890.tif 000012
【図１１】
2012160890.tif 000013
【図１２】
2012160890.tif 000014
【図１３】
2012160890.tif 000015
【図１４】
2012160890.tif 000016
【図１５】
2012160890.tif 000017
【図１６】
2012160890.tif 000018
【図１７】
2012160890.tif 000019
【図１８】
2012160890.tif 000020
【図１９】
2012160890.tif 000021